(57)【要約】【課題】本発明は、曲線状に展開することができる蛇籠および蛇籠を用いた根固め工法を提供することを目的とする。【解決手段】第１仕切り壁と、一端部が該第１仕切り壁の一端部に接続された第１側壁と、一端部が該第１側壁の他端部に接続された第２仕切り壁と、一端部が該第２仕切り壁の他端部に接続され、他端部が前記第１仕切り壁の他端部に接続された第２側壁と、を含む区画室が少なくとも２以上連続しており、前記第１仕切り壁の一端部から前記第２仕切り壁の一端部に至るまでの前記第１側壁の長さは、前記第２仕切り壁の他端部から前記第１仕切り壁の他端部に至るまでの前記第２側壁の長さよりも長いことを特徴とする蛇籠。【選択図】図３
2015158096.tif 000002
【特許請求の範囲】
【請求項１】
第１仕切り壁と、
一端部が該第１仕切り壁の一端部に接続された第１側壁と、
一端部が該第１側壁の他端部に接続された第２仕切り壁と、
一端部が該第２仕切り壁の他端部に接続され、他端部が前記第１仕切り壁の他端部に接続された第２側壁と、
を含む区画室が少なくとも２以上連続しており、
前記第１仕切り壁の一端部から前記第２仕切り壁の一端部に至るまでの前記第１側壁の長さは、前記第２仕切り壁の他端部から前記第１仕切り壁の他端部に至るまでの前記第２側壁の長さよりも長いことを特徴とする蛇籠。
【請求項２】
前記第１仕切り壁および前記第２仕切り壁のうち少なくとも１つは、隣接する前記区画室間で共有されるか、または前記区画室毎に独立して存在するものである請求項１に記載の蛇籠。
【請求項３】
前記第１側壁には、裏打ち材が存在し、前記第２側壁には、前記裏打ち材が存在しないものである請求項１または２に記載の蛇籠。
【請求項４】
前記第１側壁および前記第２側壁のうち少なくとも１つは、２つ以上の側壁要素からなるものである請求項１〜３のいずれかに記載の蛇籠。
【請求項５】
前記第１側壁は、隣接する前記区画室の前記第１側壁または前記第２側壁と接続されるものである請求項１〜４のいずれかに記載の蛇籠。
【請求項６】
前記第２側壁は、隣接する前記区画室の前記第１側壁または前記第２側壁と接続されるものである請求項１〜５のいずれかに記載の蛇籠。
【請求項７】
前記第１仕切り壁および前記第２仕切り壁のうち少なくとも１つに、隣接する前記区画室とスライド可能なスライド機構が存在するものである請求項１〜６のいずれかに記載の蛇籠。
【請求項８】
請求項１〜７のいずれかに記載の蛇籠を用いた根固め工法。
【発明の詳細な説明】
【技術分野】
【０００１】
本発明は、蛇籠および蛇籠を用いた根固め工法に関する。
【背景技術】
【０００２】
蛇籠は、籠内に岩、石、割石等が充填され、例えば、護岸や河川の水流制御などに用いられている。これまでに土木事業に用いられる蛇籠として、以下の技術が知られている。
【０００３】
特許文献１は、回転自在に連結された網目構造のパネルからなる蛇籠に関し、ケージ内側を少なくとも部分的に、柔軟なシート材料でライニングすることにより、バラスト材料（充填材）の種類が広くなることが示されている。
【０００４】
特許文献２は、多数の区画室を備える蛇籠に関し、蛇籠の側壁および仕切り壁の枢動可能な接続部の少なくとも１個が解除可能であることより、回収可能となる蛇籠が示されている。
【先行技術文献】
【特許文献】
【０００５】
【特許文献１】特許第３０９１４８１号公報
【特許文献２】特許第４９１４４５２号公報
【発明の概要】
【発明が解決しようとする課題】
【０００６】
しかしながら、特許文献１および特許文献２に示されているような蛇籠は、直線状に展開する構造であり、曲線状に展開することができないため、用途が制限される問題があった。例えば、建築物の基礎等に用いる杭は、通常、円柱状であるため、直線状の蛇籠を杭の根固めに用いることは困難であった。
【０００７】
本発明は以上のような課題を考慮してなされたものであり、曲線状に展開することができる蛇籠および蛇籠を用いた根固め工法を提供することを目的とする。
【課題を解決するための手段】
【０００８】
本発明に係る蛇籠は、第１仕切り壁と、一端部が該第１仕切り壁の一端部に接続された第１側壁と、一端部が該第１側壁の他端部に接続された第２仕切り壁と、一端部が該第２仕切り壁の他端部に接続され、他端部が前記第１仕切り壁の他端部に接続された第２側壁と、を含む区画室が少なくとも２以上連続しており、前記第１仕切り壁の一端部から前記第２仕切り壁の一端部に至るまでの前記第１側壁の長さは、前記第２仕切り壁の他端部から前記第１仕切り壁の他端部に至るまでの前記第２側壁の長さよりも長いことを特徴とする。該構成により、曲線状に展開できる蛇籠を得ることができる。
【０００９】
前記第１仕切り壁および前記第２仕切り壁のうち少なくとも１つは、隣接する前記区画室間で共有されるか、または前記区画室毎に独立して存在することが好ましい。
【００１０】
前記第１側壁には、裏打ち材が存在し、前記第２側壁には、前記裏打ち材が存在しないことが好ましい。
【００１１】
前記第１側壁および前記第２側壁のうち少なくとも１つは、２つ以上の側壁要素からなることが好ましい。
【００１２】
前記第１側壁は、隣接する前記区画室の前記第１側壁または前記第２側壁と接続されることが好ましい。
【００１３】
前記第２側壁は、隣接する前記区画室の前記第１側壁または前記第２側壁と接続されることが好ましい。
【００１４】
前記第１仕切り壁および前記第２仕切り壁のうち少なくとも１つに、隣接する前記区画室とスライド可能なスライド機構が存在することが好ましい。
【００１５】
本発明に係る根固め工法は前記蛇籠を用いるところに特徴を有する。
【発明の効果】
【００１６】
本発明によれば、蛇籠の区画室の第１仕切り壁の一端部から前記第２仕切り壁の一端部に至るまでの前記第１側壁の長さを、前記第２仕切り壁の他端部から前記第１仕切り壁の他端部に至るまでの前記第２側壁の長さよりも長くすることにより、所望の方向に展開できる蛇籠を得ることができる。更に、本発明によれば、前記蛇籠を用いた根固め工法を提供することができる。
【図面の簡単な説明】
【００１７】
【図１】図１（ａ）は、本発明の第１の実施形態に係る蛇籠の斜視図である。図１（ｂ）は、本発明の第１の実施形態に係る蛇籠の平面図である。
【図２】図２は、図１の接続部を示す斜視図である。
【図３】図３（ａ）は、本発明の第２の実施形態に係る蛇籠の斜視図である。図３（ｂ）は、本発明の第２の実施形態に係る蛇籠の平面図である。
【図４】図４（ａ）は、部分的に折り畳んだときの形態における図３（ｂ）に示す蛇籠の概略平面図である。図４（ｂ）は、完全に折り畳んだときの形態における図３（ｂ）に示す蛇籠の概略平面図である。
【図５】図５は、本発明の第３の実施形態に係る蛇籠の平面図である。
【図６】図６（ａ）は、本発明の第４の実施形態に係る蛇籠の側面図である。図６（ｂ）は、本発明の第４の実施形態に係る蛇籠の平面図である。
【発明を実施するための形態】
【００１８】
本発明に係る蛇籠は、第１仕切り壁と、一端部が該第１仕切り壁の一端部に接続された第１側壁と、一端部が該第１側壁の他端部に接続された第２仕切り壁と、一端部が該第２仕切り壁の他端部に接続され、他端部が前記第１仕切り壁の他端部に接続された第２側壁と、を含む区画室が少なくとも２以上連続しており、前記第１仕切り壁の一端部から前記第２仕切り壁の一端部に至るまでの前記第１側壁の長さは、前記第２仕切り壁の他端部から前記第１仕切り壁の他端部に至るまでの前記第２側壁の長さよりも長い。
【００１９】
本発明に係る蛇籠は、区画室の第１仕切り壁の一端部から前記第２仕切り壁の一端部に至るまでの前記第１側壁の長さを、前記第２仕切り壁の他端部から前記第１仕切り壁の他端部に至るまでの前記第２側壁の長さよりも長くすることにより、所望の方向に展開できる蛇籠を得ることができる。
【００２０】
図１（ａ）は、本発明の第１の実施形態に係る蛇籠１の斜視図である。図１（ａ）に示すとおり、第１仕切り壁３１と第１側壁３２は、第１仕切り壁３１の一端部３１ａと、第１側壁３２の一端部３２ａで接続されている。第１側壁３２と、第２仕切り壁３３は、第１側壁３２の他端部３２ｂと、第２仕切り壁３３の一端部３３ａで接続されている。第２仕切り壁３３と、第２側壁３４は、第２仕切り壁３３の他端部３３ｂと、第２側壁３４の一端部３４ａで接続されている。第２側壁３４と、第１仕切り壁３１は、第２側壁３４の他端部３４ｂと、第１仕切り壁３１の他端部３１ｂで接続されている。区画室３０は、第１仕切り壁３１、第１側壁３２、第２仕切り壁３３、および第２側壁３４が上記のように接続されて構成されている。更に、第１仕切り壁３１の一端部３１ａから、第２仕切り壁３３の一端部３３ａに至るまでの第１側壁の長さＬ１は、第２仕切り壁３３の他端部３３ｂから第１仕切り壁３１の他端部３１ｂに至るまでの第２側壁３４の長さＬ２より長く構成されている。
【００２１】
図１（ｂ）は、本発明の第１の実施形態に係る蛇籠１の平面図である。区画室１０、区画室２０、区画室３０、区画室４０、区画室５０、および区画室６０（以下では、区画室１０〜６０と呼ぶ場合がある）は連続して接続されている。また、蛇籠１の両端に位置する区画室１０の第１仕切り壁１１と区画室６０の第２仕切り壁６３は、一端部１１ａと一端部６３ａの間、および他端部１１ｂと他端部６３ｂとの間で接続されている。図１（ｂ）に示すように、蛇籠１は、第１側壁の長さＬ１が、第２側壁の長さＬ２より長く構成されていることにより、区画室１０〜６０は略円状に展開することができる。これにより、略円柱状の空間Ｓを確保することができ、例えば、構造物の基礎等に用いる円柱状の鋼管杭の根固め等に、好適に用いることができる。その場合、用いる鋼管杭等の形状によって、上記Ｌ１および上記Ｌ２の寸法を変えたり、上記区画室の数を増減したりしてもよい。
【００２２】
図１（ａ）および図１（ｂ）に示すように、区画室３０は、隣接する区画室２０と第１仕切り壁３１を共有しており、隣接する区画室４０と第２仕切り壁３３を共有している。このように蛇籠１は、隣接する区画室間（例えば区画室２０と区画室３０、区画室３０と区画室４０）で仕切り壁を共有していても良い。また、第１仕切り壁１１および第２仕切り壁６３のように、区画室毎に仕切り壁が独立して存在してもよい。後述するスライド機構を有さない場合は、コストの観点から、仕切り壁が隣接する区画室間で共有される構成が好ましい。また、蛇籠１の両端に位置する区画室１０の第１仕切り壁１１と、区画室６０の第２仕切り壁６３は、蛇籠１を設置する前は、持ち運びの観点から、接続されていないことが好ましい。但し、蛇籠１を設置する際には、通常、両端に位置する第１仕切り壁１１と、第２仕切り壁６３を接続して用いる。
【００２３】
図１（ａ）および図１（ｂ）には図示していないが、蛇籠１の区画室１０〜６０には充填材が充填される。充填材は、入手可能な材料から選択すればよい。例えば、砂、土、土壌、石、岩石、コンクリートおよびこれらを２つ以上組み合わせたものを用いることができる。
【００２４】
また、図１（ａ）および図１（ｂ）には図示していないが、上記充填材の充填前に、充填材の漏出を防ぐために、蛇籠１の区画室１０〜６０に裏打ち材を設けることもできる。具体的には、第１側壁３２などの第１側壁に、裏打ち材を設けることにより、充填材の漏出を防ぐことができる。従って、第１側壁には、裏打ち材が存在することが好ましい。また、鋼管杭の根固め等に蛇籠１を用いる場合、空間Ｓには鋼管杭が位置する。この場合、空間Ｓと接する第２側壁３４などの第２側壁に裏打ち材を設けなければ、第２側壁から充填材が漏出しやすくなり、その結果、充填材が鋼管杭表面に密着しやすくなる。従って、上記根固めとして用いる場合、空間Ｓと接する第２側壁には、裏打ち材が存在しないことが好ましい。また、第１仕切り壁３１や第２仕切り壁３３等の、第１仕切り壁および第２仕切り壁には、必要に応じて、裏打ち材を設けても良い。裏打ち材は、充填材の漏出を防ぐことができれば特に限定されないが、例えば、織製あるいは非織製の合成材料、ガラス繊維、サイザル麻、ジュート、またはココヤシの皮のような材料からなるジオテキスタイルを用いることができる。ジオテキスタイルは、例えば、蛇籠１の最上部で折り曲げ、適所にホッチキス留めして固定することができる。
【００２５】
蛇籠１の、例えば第１側壁３２および第２側壁３４などの側壁、および第１仕切り壁３１および第２仕切り壁３３などの仕切り壁は、鋼、アルミニウム、チタニウム、その他の金属あるいはそれらの合金；木材、サイザル麻、ジュート、ココヤシ皮あるいは海草のような天然材料；プラスチック、あるいはセラミックからつくられた１つ以上のパネルからなることが好ましい。通常、鋼が望ましいが、鋼の場合は耐腐食処理が施されることが好ましい。パネルは閉鎖されたパネルであっても良いが、接続の観点からは、網状のパネルが好ましい。閉鎖パネルの場合、パネルの端部において、機械加工などの方法によって、開口部を設け接続すればよい。また、図示していないが、必要に応じて、上記区画室の上部および下部のうち少なくとも一方に、上記パネルからなる壁を設けてもよい。
【００２６】
図２は、蛇籠１の、第１仕切り壁３１および第１側壁３２の接続部の詳細斜視図である。図面の便宜上、同図において、区画室２０の第１側壁２２は省略されているが、図２に示す方法により、第１仕切り壁３１および第１側壁３２と同様に接続されている。また、図面の便宜上、同図において、第１仕切り壁３１および第１側壁３２は直線状に接続した形で示している。図２に示すように、第１仕切り壁３１と第１側壁３２は、開口部７を有する網から構成されている。第１仕切り壁３１と第１側壁３２の間は、網の開口部７をらせん状にコイル８を通して接続されている。また、図２には示されていないが、コイル８の自由端９は折り曲げるか、あるいはその他の方法で外れないようされている。なお、第１仕切り壁３１と第１側壁３２の間に限らず、その他の接続部、例えば、第１側壁２２と第１仕切り壁３１、および第２仕切り壁３３と第２側壁３４などの接続部についても、同様の方法により接続されている。接続部材は、特に限定されず、ステンレス製の留め金、スチールリングの留め具などを用いることができるが、接続部が回転自在となるコイルばねが好ましい。更に、接続部材は、蛇籠１の回収の観点から、開放可能なものであってもよい。
【００２７】
図３（ａ）は、本発明の第２の実施形態に係る蛇籠２の斜視図である。なお、同図において図１（ａ）と同じ構成要素については同一符号を付してその説明を省略する。図３（ａ）に示すように、蛇籠２の、第１側壁３２は側壁要素３２Ａおよび側壁要素３２Ｂから構成され、更に第２側壁３４は、側壁要素３４Ａおよび側壁要素３４Ｂから構成されている。側壁要素３２Ａおよび側壁要素３２Ｂは曲折部３２ｃ、側壁要素３４Ａおよび側壁要素３４Ｂは曲折部３４ｃにおいて接続されている。更に、第１仕切り壁３１の一端部３１ａから、第２仕切り壁３３の一端部３３ａに至るまでの第１側壁の長さＬ１（一端部３１ａから曲折部３２ｃまでの距離＋曲折部３２ｃから一端部３３ａまでの距離）は、第２仕切り壁３３の他端部３３ｂから第１仕切り壁３１の他端部３１ｂに至るまでの第２側壁３４の長さＬ２（他端部３３ｂから曲折部３４ｃまでの距離＋曲折部３４ｃから他端部３１ｂまでの距離）より長く構成されている。なお、同図において、側壁要素３４Ａは側壁要素３４Ｂと、側壁要素３２Ａは側壁要素３２Ｂと同一形状で示されているが、異なる形状のものであっても良い。
【００２８】
図３（ｂ）は、本発明の第２の実施形態に係る蛇籠２の平面図である。なお、同図において図１（ｂ）と同じ構成要素については同一符号を付してその説明を省略する。図３（ｂ）に示すように、蛇籠２は、第１側壁の長さＬ１が、第２側壁の長さＬ２より長く構成されていることにより、区画室１０〜６０を略円状に展開することができる。
【００２９】
図３（ａ）および図３（ｂ）に示すように、蛇籠２は、第１側壁３２および第２側壁３４は、それぞれ側壁要素３２Ａおよび側壁要素３２Ｂ、側壁要素３４Ａおよび側壁要素３４Ｂから構成されおり、このように第１側壁３２および第２側壁３４は、それぞれ２つ以上の側壁要素からなるものであっても良い。蛇籠２の折り畳み（詳細は後述する）の観点からは、第１側壁３２および第２側壁３４のうち少なくとも１つは、２つ以上の側壁要素からなるものが好ましい。蛇籠２のように、第１側壁３２および第２側壁３４が、それぞれ２つ以上の側壁要素からなるものが更に好ましい。
【００３０】
蛇籠２を設置する際には、第２側壁３４に存在する曲折部３４ｃを区画室３０側に折り込んで使用することが好ましい。これにより、図３（ｂ）に示すように略円柱状の空間Ｓを十分に確保することができ、例えば、構造物の基礎等に用いる円柱状の鋼管杭の根固めに、好適に用いることができる。また、曲折部３４ｃの折り込みの角度を変えることにより、空間Ｓの形状を、所望の形状に変えることが可能である。
【００３１】
なお、曲折部３２ｃと曲折部３４ｃにおいて、側壁要素３２Ａと側壁要素３２Ｂ、側壁要素３４Ａと側壁要素３４Ｂはそれぞれ、図２に示すコイル８にて接続されている。接続部材は特に限定されないが、接続部が回転自在となるコイルばねが好ましい。更に、接続部材は開放可能なものであってもよい。
【００３２】
図４（ａ）は、本発明に係る蛇籠２を部分的に折り畳んだときの概略平面図である。蛇籠２は、曲折部３２ｃおよび曲折部３４ｃは区画室３０側に折り込まれている。
【００３３】
図４（ｂ）は、本発明に係る蛇籠２を完全に折り畳んだときの概略平面図である。蛇籠２は、曲折部３２ｃおよび曲折部３４ｃは区画室３０側に折り込まれている。
【００３４】
図４（ａ）および図４（ｂ）に示すように、蛇籠２は、手風琴のように折り畳むことができる。曲折部３２ｃおよび曲折部３４ｃを区画室３０側に折り込むか、または外側に折り込んで折り畳めばよい。収納の観点からは、折り畳んだ後の面積を小さくするために、区画室３０側に折り込むことが好ましい。
【００３５】
図５は、本発明の第３の実施形態に係る蛇籠３の平面図である。なお、同図において図１（ｂ）と同じ構成要素についてはその説明を省略する。詳細には、同図において区画室１０〜１３０は、図１（ｂ）の区画室１０〜６０と同じ構成要素にて構成されているが、区画室３０および区画室１００が、隣り合う区画室と異なる向きに接続されている点で、図１（ｂ）と異なる。
【００３６】
図５に示すように、蛇籠３の区画室３０の第１側壁３２は、隣接する区画室２０および区画室４０の、第２側壁２４および第２側壁４４と接続されている。このように、第１側壁は必ずしも隣接する区画室の第１側壁と接続する必要はなく、隣接する区画室の第２側壁と接続されていてもよい。
【００３７】
また、図５に示すように、蛇籠３の区画室３０の第２側壁３４は、隣接する区画室２０および区画室４０の、第１側壁２２および第１側壁４２と接続されている。このように、第２側壁は必ずしも隣接する区画室の第２側壁と接続する必要はなく、隣接する区画室の第２側壁と接続されていてもよい。
【００３８】
このように、蛇籠３は、他の区画室と異なる向きに接続される区画室を含んでいても良い。これにより、蛇籠３は略楕円形に展開することができる。また、異なる向きに接続される区画室の数を増減させることにより、略楕円形に限らず、所望の形状に展開することができる蛇籠を実現できる。
【００３９】
図６（ａ）は、本発明の第４の実施形態に係る蛇籠４の側面図である。なお、同図において図３（ａ）と同じ構成要素については同一符号を付してその説明を省略する。区画室３０は、区画室２０とスライド可能なスライド機構により接続されており（図示せず）、垂直方向にスライドして設置されている。更に、区画室４０は、区画室３０とスライド可能なスライド機構により接続されており（図示せず）、垂直方向にスライドして設置されている。
【００４０】
図６（ｂ）は、本発明の第４の実施形態に係る蛇籠４の平面図である。なお、同図において図３（ｂ）と同じ構成要素については同一符号を付してその説明を省略する。図６（ｂ）に示すとおり、蛇籠４の全ての区画室（区画室１０〜６０）は、区画室毎に仕切り壁が独立して存在している（例えば、第１仕切り壁３１および第２仕切り壁２３）。また、同図において、黒丸部分にスライド機構が取り付けられている。このように蛇籠４は、スライド機構を有することにより、海底等の地形が複雑な場所においても、好適に用いることができる。スライド機構としては、スライド可能であれば特に限定されないが、例えば、スライドレールを用いることができる。また、スライド機構は、必ずしも第１仕切り壁および第２仕切り壁の両方に設ける必要はなく、少なくとも１つの仕切り壁に設けることができ、両方に設けることが好ましい。また、スライド方向は垂直方向に限られず、必要に応じて様々な方向にスライド可能なスライド機構を設けても良い。
【００４１】
更に、本発明に係る蛇籠１〜４には、略円柱上または略楕円柱状等の空間Ｓが存在するために、蛇籠１〜４を用いて、鋼管杭等の根固め工法を実現することができる。
【符号の説明】
【００４２】
３０  区画室
３１  第１仕切り壁
３２  第１側壁
３３  第２仕切り壁
３４  第２側壁
【図１】
2015158096.tif 000003
【図２】
2015158096.tif 000004
【図３】
2015158096.tif 000005
【図４】
2015158096.tif 000006
【図５】
2015158096.tif 000007
【図６】
2015158096.tif 000008